(57)【要約】【課題】テープドライブ装置に関し、簡単な構造で、所定のタイミングで変換器ヘッドの清掃を可能にすることを目的とする。【解決手段】挿入されたテープカートリッジ１を装置内の所定位置に搬送するローディング機構２と、  テープカートリッジ１から繰り出されたデータテープ１ａから情報を読み取る変換器ヘッド３に接触する清掃位置と該変換器ヘッド３から離間する退避位置との間を移動可能なヘッド清掃部４と、  ローディング機構２の搬送動作に同期してヘッド清掃部４を退避位置と清掃位置との間で移動させる伝達部５とを有し、  前記伝達部５は、搬送動作におけるローディング機構２の可動部の変位を退避位置と清掃位置との間のヘッド清掃部４の変位に変化して伝達するように構成する。【選択図】  図３
2005190666.tif 000002
【特許請求の範囲】
【請求項１】
挿入されたテープカートリッジを装置内の所定位置に搬送するローディング機構と、
テープカートリッジから繰り出されたデータテープから情報を読み取る変換器ヘッドに接触する清掃位置と該変換器ヘッドから離間する退避位置との間を移動可能なヘッド清掃部と、
ローディング機構の搬送動作に同期してヘッド清掃部を退避位置と清掃位置との間で移動させる伝達部とを有し、
前記伝達部は、搬送動作におけるローディング機構の可動部の変位を退避位置と清掃位置との間のヘッド清掃部の変位に変化して伝達するテープドライブ装置。
【発明の詳細な説明】
【技術分野】
【０００１】
本発明はテープドライブ装置に関するものである。
【背景技術】
【０００２】
変換器ヘッドの清掃機構を備えたテープドライブ装置としては、特開平１１-２９６８２７号公報に記載されたものが知られている。この従来例において、テープドライブ装置は、装填されたテープカートリッジのデータテープを読み取るための変換器ヘッドと、該変換器ヘッドを清掃するためのクリーニング装置とを備える。クリーニング装置は、先端にクリーニングブラシを備えた支持アームを回転可能に支持して構成され、必要時にはデータテープと変換器ヘッドの間に支持アームを介装して変換器ヘッドの清掃が行われる。
【特許文献１】特開平１１-２９６８２７号公報
【発明の開示】
【発明が解決しようとする課題】
【０００３】
しかし、この従来例には、以下の問題がある。まず、変換器ヘッドの清掃は上記クリーニングブラシにより変換器ヘッド３に接触したデータテープを外方に押し出した状態により行われるために、データテープに過度のテンションが負荷され、データ保護の点から問題がある。
【０００４】
また、支持アームの駆動のために独立の駆動源を要するために、コストアップを招来する上に、駆動源を配置するための実装スペースを確保するために他機構部の実装スペースを圧縮することとなり、全体の構造が複雑になったり、構造の複雑化に伴うコストアップをもたらしてしまう。
【０００５】
本発明は、以上の欠点を解消すべくなされたものであって、簡単な構造で、所定のタイミングで変換器ヘッドの清掃が可能なテープドライブ装置の提供を目的とする。
【課題を解決するための手段】
【０００６】
本発明において、変換器ヘッド３を清掃するためのヘッド清掃部４は、ローディング機構２がテープカートリッジ１引き込み側（セット位置側）へ駆動された際に清掃位置から退避位置に移動し、ローディング機構２のテープカートリッジ１吐き出し側への駆動に同期して退避位置から清掃位置に移動する。
【０００７】
退避位置は、少なくともデータテープ１ａの走行軌道から退避し、データテープ１ａとの干渉が生じない位置であれば装置内の適宜位置に設定することが可能であり、また、ヘッド清掃部４の移動軌跡は直線であっても、曲線であってもよい。
【０００８】
テープカートリッジ１の動作とヘッド清掃部４の動作を関連付けることにより、利用者が意識しなくても、テープカートリッジ１の挿抜操作に伴って変換器ヘッド３を自動的に清掃することができるために、常に変換器ヘッド３を清浄な状態に維持することが可能になり、読み取り、書き込みの信頼性が向上する。また、変換器ヘッド３の清掃動作は、ローディング機構２がテープカートリッジ１の排出動作をした後、すなわち、データテープ１ａが存在しないタイミングで行われることが保証されるために、データテープ１ａに損傷を与えることもない。
【０００９】
ヘッド清掃部４の動作をローディング機構２の動作に同期させるためには、例えば、ローディング機構２の可動部をセンサにより監視し、適宜のアクチュエータによりヘッド清掃部４を駆動して行うことも可能であるが、ローディング機構２の可動部の変位を適宜の伝達部５を介してヘッド清掃部４に伝達するように構成すると、上記センサ、あるいはアクチュエータを別途配置する必要がなくなるために、構造が簡単で、かつ製造コストを低減させることができる。この場合、伝達部５は、上記ローディング機構２の可動部における移動をヘッド清掃部４の清掃位置と退避位置との間の移動ストロークを調整してヘッド清掃部４に伝達可能であれば足りる。
【発明の効果】
【００１０】
以上の説明から明らかなように、本発明によれば、簡単な構造で、所定のタイミングで変換器ヘッドの清掃を行うことができる。
【発明を実施するための最良の形態】
【００１１】
図１、２にＬＴＯ（Liner Tape Open）媒体を使用するリニアテープ駆動装置として構成された本発明の実施の形態を示す。テープドライブ装置は、キャリア６を含むローディング機構２と、装置側リール７と、変換器ヘッド３とをメカ基板８上に配置して構成され、変換器ヘッド３の両側にはテープガイド９が配置される。ローディング機構２によりテープカートリッジ１が所定位置に導かれると、テープカートリッジ１内のデータテープ１ａは図示外のスレッディング機構によりテープカートリッジ１から引き出されて装置側リール７に巻き取られる。装置側リール７に巻き取られた状態でデータテープ１ａはテープガイド９により変換器ヘッド３との接触面積、あるいは変換器ヘッド３に対する接触角が適切に維持されるようにガイドされて変換器ヘッド３に接触し、該変換器ヘッド３による読み取り、あるいは書き込みがなされる。テープガイド９には、データテープ１ａの幅方向端縁をガイドして変換器ヘッド３に対する鉛直方向のずれを規制するフランジ９ａが設けられる。
【００１２】
なお、図２において１０は上記装置側リール７を回転駆動するためのモータ、１１はセットされたテープカートリッジ１のリール１ｂを回転駆動するためのモータを示す。
【００１３】
ローディング機構２は、上述したキャリア６と、キャリア駆動部１２とからなる。キャリア駆動部１２は、図５に示すように、駆動モータ１２ａの動力を伝達する減速歯車列１２ｂを有し、減速歯車列１２ｂの終端歯車１２ｃにはボス１２ｄが立設される。ボス１２ｄはキャリア６に一体に連結されるスライドリンク１３に設けられる長孔１３ａに遊嵌し、駆動モータ１２ａを回転させると、ボス１２ｄが図５において実線で示す位置から鎖線で示す位置まで移動してスライドリンク１３は図５における矢印Ａ方向に移動し、キャリア６内に挿入されたテープカートリッジ１を、リール１ｂの回転軸がモータ１１の回転軸に連結されるセット位置まで搬送する。
【００１４】
上記変換器ヘッド３を清掃するために、変換器ヘッド３の近傍にはアーム４ａの先端に清掃ブラシ４ｂを固定したヘッド清掃部４が配置される。アーム４ａは図２、３に示すように、変換器ヘッド３を保持するヘッドベース３ａに枢支され、図４に示す、清掃ブラシ４ｂが変換器ヘッド３に当接する清掃位置と、図３に示す、変換器ヘッド３との当接位置から退避してデータテープ１ａの通過を許容する退避位置との間で回転する。
【００１５】
さらに、上記ヘッド清掃部４を駆動するために、アーム４ａは伝達部５を介して上記キャリア駆動部１２に連結される。この実施の形態において、伝達部５は、キャリア６裏面に一体的に固定され、メカ基板８に開設された矩形開口８ａからメカ基板８裏面に突出する突部５ａと、該突部５ａに一端が連結され、他端がアーム４ａに回転自在に連結される連結杆５ｂとからなり、アーム４ａの回転中心から連結杆５ｂの連結点までの距離（アーム長Ｌ）は、キャリア６の移動ストローク両終端位置においてアーム４ａが退避位置と清掃位置とに対応するように設定される。突部５ａに自由度なしに連結杆５ｂが固定されるこの実施の形態において、連結杆５ｂはピアノ線材等、弾性を有する材料により形成され、アーム４ａが回転する際のキャリア６移動方向に直交する方向の寸法変化を吸収する。
【００１６】
したがってこの実施の形態において、テープカートリッジ１が装填されていない状態では、図１、４に示すように、ヘッド清掃部４は清掃位置にあり、清掃ブラシ４ｂは変換器ヘッド３に接触している。この状態からキャリア６にテープカートリッジ１を投入されたことを図示外の検出手段が検出すると、ローディング機構２の駆動モータ１２ａが駆動されて終端歯車１２ｃが半回転駆動され、スライドリンク１３を駆動する。スライドリンク１３の移動に伴ってキャリア６は図１における矢印Ｂ方向に移動を開始し、テープカートリッジ１を装置内部へ引き込み始める。キャリア６の移動により、連結杆５ｂは図４における矢印Ｃ方向に押されてアーム４ａを回転させ、ヘッド清掃部４は図３に示すように、清掃ブラシ４ｂが変換器ヘッド３から離間する退避位置まで移動する。
【００１７】
以上のようにしてテープカートリッジ１の装填が完了すると、データテープ１ａは図示外のスレッディング機構により引き出されて装置側リール７に巻き取られ、データの読み書きが行われ、この間、ヘッド清掃部４は退避位置を維持してデータテープ１ａとの干渉が防止される。
【００１８】
テープカートリッジ１を使用した処理が終了すると、上記スレッディング機構によりデータテープ１ａはテープカートリッジ１内のリール１ｂに巻き戻され、ローディング機構２がテープカートリッジ１排出側に駆動される。ローディング機構２の作動により、キャリア６は再び原位置まで復帰することから、アーム４ａも連結杆５ｂに引かれて図３（ａ）において反時計回りに回転し、清掃ブラシ４ｂが変換器ヘッド３に接触する清掃位置に移動し、この後、例えば変換器ヘッド３を上下、あるいは側方に駆動して清掃操作が行われる。
【図面の簡単な説明】
【００１９】
【図１】テープドライブ装置の要部斜視図である。
【図２】図１の裏面図である。
【図３】本発明の動作を示す図で、（ａ）はヘッド清掃部が退避位置にある場合の平面図、（ｂ）は正面図、（ｃ）は裏面図である。
【図４】本発明の動作を示す図で、（ａ）はヘッド清掃部が清掃位置にある場合の平面図、（ｂ）は正面図、（ｃ）は裏面図である。
【図５】キャリア駆動部を示す図で、（ａ）は裏面図、（ｂ）は（ａ）の５Ａ方向矢視図である。
【符号の説明】
【００２０】
１     テープカートリッジ
１ａ   データテープ
２     ローディング機構
３     変換器ヘッド
４     ヘッド清掃部
５     伝達部
【図１】
2005190666.tif 000003
【図２】
2005190666.tif 000004
【図３】
2005190666.tif 000005
【図４】
2005190666.tif 000006
【図５】
2005190666.tif 000007